(57)【要約】【課題】高い耐雷性能を保持すると共に、積層鉄心の積層面と平行な面を底面として高さを低くし横置き薄型とすることができる耐雷変圧器を提供することを目的とする。【解決手段】積層鉄心１の環状部１１を連結する連結部１２に二次コイル５が巻装され、二次コイル５の外側に絶縁物を介して一次コイル４が巻装されてなる変圧器である。二次コイル５の内周側に絶縁物を介して第一導電性シールド６が巻装され、二次コイル５と一次コイル４の間に絶縁物を介して第二導電性シールド７，８が巻装される。第一導電性シールド６及び第二導電性シールド７，８がアース接続されると共に、第一導電性シールド６及び第二導電性シールド７，８の鉄心側の端部が絶縁物１０で包囲される。積層鉄心１の積層面と平行な面を底面として、高さが横幅及び奥行きより低い横置き薄型形状に形成されている。【選択図】図１
2005136199.tif 000002
【特許請求の範囲】
【請求項１】
積層鉄心の環状部を連結する連結部に二次コイルが巻装され、該二次コイルの外側に絶縁物を介して一次コイルが巻装されてなる耐雷変圧器において、
該二次コイルの内周側に絶縁物を介して第一導電性シールドが巻装され、該二次コイルと該一次コイルの間に絶縁物を介して第二導電性シールドが巻装され、該第一導電性シールド及び第二導電性シールドがアース接続されると共に、該第一導電性シールド及び第二導電性シールドの鉄心側の端部が絶縁物で包囲され、該積層鉄心の積層面と平行な面を底面として、高さが横幅及び奥行きより低い横置き薄型形状に形成されたことを特徴とする耐雷変圧器。
【請求項２】
前記第二導電性シールドは、複数枚の導電性シールドを、絶縁物を介して巻き付けるように、前記二次コイルと該一次コイルの間に装着されたことを特徴とする請求項１記載の耐雷変圧器。
【請求項３】
高さの低い横置き型で薄型の金属ケース内に、前記積層鉄心の積層面と平行な面を底面とする姿勢で収納され、取付脚部を介して固定されることを特徴とする請求項１記載の耐雷変圧器。                                                                       
【発明の詳細な説明】
【技術分野】
【０００１】
本発明は、一次コイルと二次コイル間のサージ電圧の移行レベルを低く抑制した低圧級乾式の耐雷変圧器に関し、特に変圧器全体の形状を横置き型で、且つ薄型形状とした耐雷変圧器に関する。
【背景技術】
【０００２】
屋外に設置される電源設備などの電気機器に使用される変圧器では、設備近傍への落雷または誘導雷などによる雷サージ電圧の一次コイルから二次コイルへの移行レベルを小さくし、雷サージ電圧を効果的に減衰させる性能が要求される場合がある。このような場合、一般に、一次コイルと二次コイルの間に導電性シールドを介装し、導電性シールドをアース接続して、二次コイルへの雷サージ電圧の移行レベルを小さくするようにしている。しかし、このような一次コイルと二次コイルの間の導電性シールドのみでは、導電性シールドの面積が少なく、二次コイルと導電性シールド間の静電容量を大きくすることができず、雷サージ電圧の移行レベルを下げることが難しいという課題があった。
【０００３】
そこで、３〜４層の絶縁層と導電性シールドを一次コイルと二次コイルの間及び鉄心との間に介装させ、雷サージの影響を少なくした構造の耐雷変圧器が、下記特許文献１などにより提案されている。
【特許文献１】特開平６−７７０６３号公報
【発明の開示】
【発明が解決しようとする課題】
【０００４】
ところで、この種の耐雷変圧器は、通常、積層鉄心の積層面を垂直にして設置し、コイルは水平面内でループを形成するように積層鉄心の中央連結部の周囲に巻装される構造である。このため、従来の耐雷変圧器は、全体的に縦長の縦型形状となって、その設置スペースには、ある程度の高さを有するスペースが必要とされる。
【０００５】
しかし、近年、電源設備内のスペースの縮小から、変圧器のコンパクト化が要求される傾向にあり、特に、例えば無線中継設備の電源として変圧器が使用される場合、無線中継設備の無線通信機器と同様に、変圧器を高さの低い横置き型のケースに入れて、ラック内に多段状に収納することが検討されている。
【０００６】
しかしながら、従来の耐雷変圧器は、上記のように、積層鉄心の積層面を垂直とし、コイルを水平面内でループを形成するように積層鉄心の中央連結部の周囲に巻装した縦長の縦型形状であるため、横長で薄型形状のケースに立てた状態で収納することはできず、また、全体の高さを抑えるために変圧器を横に寝かせた状態で設置し、つまり積層鉄心の積層面を水平に配置し、コイルを垂直面内でループを形成するように巻装したとしても、コイル部の巻装高さを低く抑えることが難しく、高さの低い薄型の耐雷変圧器とすることができず、横長薄型のケースには収納できないという課題があった。
【０００７】
すなわち、耐雷変圧器に要求される所定の性能を得るための必要な積層鉄心の断面形状を確保し、所定の太さで所定の巻き数のコイルを巻装した場合、積層鉄心の厚さやコイルの巻き厚はある程度必要となり、特に、変圧器全体を薄型にするために、導電性シールドと鉄心間、コイルと鉄心間の絶縁距離を小さくした場合、所望の耐雷性能を発揮できなくなる課題があった。
【０００８】
本発明は、上記の点に鑑みてなされたもので、高い耐雷性能を保持すると共に、積層鉄心の積層面と平行な面を底面として高さの低い横置き薄型とすることができる耐雷変圧器を提供することを目的とする。
【課題を解決するための手段】
【０００９】
上記目的を達成するために、本発明の耐雷変圧器は、積層鉄心の環状部を連結する連結部に二次コイルが巻装され、二次コイルの外側に絶縁物を介して一次コイルが巻装されてなる耐雷変圧器において、二次コイルの内周側に絶縁物を介して第一導電性シールドが巻装され、二次コイルと一次コイルの間に絶縁物を介して第二導電性シールドが巻装され、第一導電性シールド及び第二導電性シールドがアース接続されると共に、第一導電性シールド及び第二導電性シールドの鉄心側の端部が絶縁物で包囲され、積層鉄心の積層面と平行な面を底面として、高さが横幅及び奥行きより低い横置き薄型形状に形成されたことを特徴とする。
【００１０】
ここで、請求項２のように、第二導電性シールドは、複数枚の導電性シールドを、絶縁物を介して巻き付けるように二次コイルと一次コイルの間に装着することができる。
【００１１】
また、請求項３のように、上記耐雷変圧器は、高さの低い横置き型で薄型の金属ケース内に、前記積層鉄心の積層面と平行な面を底面とする姿勢で収納され、取付脚部を介して固定されるように、使用することができる。
【発明の効果】
【００１２】
上記構成の耐雷変圧器は、二次コイルの内周側に絶縁物を介して巻装された第一導電性シールドと、二次コイルと一次コイルの間に絶縁物を介して巻装された第二導電性シールドの鉄心側の端部が絶縁物で包囲されているため、一次コイルと第一及び第二導電性シールドとの間の絶縁距離を通常より短くすることができ、これにより、一次コイルの巻き厚を薄くすることができる。このため、変圧器のコイル部の厚さを低減してコイル部を横に寝かせて載置した場合の高さを極めて低くすることができ、少なくとも耐雷変圧器の高さが横幅及び奥行きより低く、横長で、横置き薄型の耐雷変圧器を製作することができる。
【００１３】
このような耐雷変圧器は、高さの低い横長薄型のケースに収納され、無線中継設備などの多段収納型のラックに、無線通信機器と同様に収納され、変圧器を含む無線中継設備全体をコンパクト化することができる。
【００１４】
また、第二導電性シールドは、絶縁物を介して二次コイルと一次コイルの間に巻き付けるように装着され、これによって、二次コイルとアース間の静電容量は、十分に大きくなり、落雷などによるサージ電圧が一次コイルに印加された場合の、二次コイルへの移行レベルは充分に小さく、二次側に移行する雷などによるサージ電圧を良好に減衰させることができる。
【発明を実施するための最良の形態】
【００１５】
以下、本発明の実施の形態を図面に基づいて説明する。図１は本発明を適用した耐雷変圧器の正面図を示し、図２はその平面図を、図３，４はその断面図を示している。
【００１６】
１は鋼板を積層して形成した積層鉄心であり、図３に示すように、積層面にそった断面形状は、環状部１１の中央に連結部１２を形成した形状つまり環状部１１の内側に２つの空間を設けて形成され、その２つの空間内に、環状に巻装されてなるコイル部２が挿入され、中央の連結部１２に外嵌される。積層鉄心１は、各環状部１１と連結部１２の鋼板が分割して形成され、巻回して完成されたコイル部２の内側に分解された鋼板を組み付けて製作される。
【００１７】
コイル部２は、先ず、最内側にシート状または筒状の第一絶縁物２１が環状に配設され、その外側に第一導電性シールド６が環状に巻装され、その第一導電性シールド６の外側に第二絶縁物２２が環状に巻装され、その第二絶縁物２２の外側に二次コイル５が巻装される。また、図３の断面図、図６の拡大断面図に示すように、二次コイル５の正面側と背面側の環状の空間には、例えば樹脂などからなる絶縁物１３が環状に形成されて埋め込まれる。
【００１８】
第一導電性シールド６は、後述の第二、第三導電性シールド７,８と同様に、図５に示す如く、例えば厚さ０．１ｍｍの銅箔９から形成され、その銅箔９の上縁部と下縁部に、シート状の絶縁物１０がその表裏を包囲して取着される。さらに、アース線１６が銅箔９に溶着され、銅箔本体９は環状に巻回した形状に形成されている。
【００１９】
図３、図６に示すように、二次コイル５の外側に、第三絶縁物２３が環状に巻き付けて巻装され、その第三絶縁物２３の外側に、第二導電性シールド７が環状に巻き付けて巻回される。その第二導電性シールド７の外側に、第四絶縁物２４が環状に巻き付けて装着され、その第四絶縁物２４の外側に、第三導電性シールド８が環状に巻き付けるように巻装される。さらに、その第三導電性シールド８の外側に、第五絶縁物２５が環状に巻き付けるように巻回される。
【００２０】
つまり、二次コイル５の外側に、絶縁物を介して第二導電性シールド７と第三導電性シールド８からなる２層の導電性シールドが環状に巻くように巻装されている。第二、第三導電性シールド７、８は、銅箔の上縁部と下縁部に、シート状の絶縁物１０がその表裏を包囲して取着されて形成されている。
【００２１】
また、図６に示すように、二次コイル５の外側の第二導電性シールド７と第三導電性シールド８は、第三絶縁物２３、第四絶縁物２４、及び第五絶縁物２５によって、その両側を巻き付けるように覆われている。つまり、第三絶縁物２３と第四絶縁物２４の間に第二導電性シールド７が介装され、第四絶縁物２４と第五絶縁物２５の間に第三導電性シールド８が介装されている。
【００２２】
この第二、第三導電性シールド７、８は、図５に示す如く、例えば厚さ０．１ｍｍの銅箔９から形成され、その銅箔９の上縁部と下縁部に、シート状の絶縁物１０がその表裏を包囲して取着される。さらに、アース線１６が銅箔９に溶着され、銅箔本体は環状に巻回した形状に形成されている。第三導電性シールド８と第五絶縁物２５の外側に、一次コイル４が巻装される。
【００２３】
この銅箔９の上縁部と下縁部は、積層鉄心１に装着された際、一次コイル４に接近する端部であり、その部分を絶縁物１０により絶縁することにより、一次コイル４の巻き幅を広く巻き厚を薄く巻装できるようにしている。つまり、導電性シールドの上縁部と下縁部に絶縁物がない場合は、一次コイル４と導電性シールド間の端部絶縁距離を長く設定して、一次コイル４の巻き幅を狭くし巻き厚を厚くする必要があるが、導電性シールドの上縁部と下縁部に絶縁物を包囲するように取着することにより、一次コイル４と導電性シールド間の端部絶縁距離を短くすることができ、一次コイル４の巻き幅を広く巻き厚を薄く巻装できる。これによって、コイル部２の高さを低く抑えることができる。
【００２４】
このようにして、二次コイル５の外側の第三導電性シールド８と第五絶縁物２５の外側に、一次コイル４が巻装され、さらに、一次コイル４の前面側と背面側に空間には、環状で例えば樹脂製の絶縁物１４がそこを埋めるように装着される。そして、一次コイル４と絶縁物１４の外側には、コイル部２の最外周部を包囲するように外周絶縁物２６が巻装される。上記第一絶縁物２１、第二絶縁物２２、及び第三絶縁物２３、第四絶縁物２４、第五絶縁物２５、外周絶縁物２６としては、絶縁紙を任意の枚数だけ重ねて巻き付けるように使用する。
【００２５】
上記構成のコイル部２は、上述のように、二次コイル５、一次コイル４を第一〜第五絶縁物２１〜２５、外周絶縁物２６、及び第一導電性シールド６、第二導電性シールド７、第三導電性シールド８を順に巻き付けながら装着して製作されるが、特にコイル部２の高さ（厚さ）を抑えるために、押さえローラによりコイルなどを内側に押し付けて、コイルの巻き厚を小さくするように、コイルの巻装を行う。
【００２６】
また、巻装されたコイル部２は、最終的にレジン（樹脂）、ワニスなどの浸漬処理を行い、加熱乾燥させてコイル、絶縁物などを硬化させるが、この浸漬処理の際、コイル部２の外側を巻き厚方向内側に強く押えることにより、コイルの巻き厚をできるだけ薄くした状態で、硬化させるようにしている。これによって、コイルの巻き厚つまり高さをできるだけ抑えた薄型のコイル部２を製作することができる。
【００２７】
そして、上記のように製作されたコイル部２は、その内側に積層鉄心１の連結部１２を通し、外側に積層鉄心１の環状部１１を配置するように、積層鉄心１が組み付けられ、耐雷変圧器が製作される。この耐雷変圧器は、積層鉄心１の積層面を水平面と平行に配置するように、横向きに寝かせた状態で設置され使用されるが、積層鉄心１とコイル部２が高さの低い薄型に形成されているため、その高さを低くすることができる。この実施態様の例では、図１、図２のように、耐雷変圧器の高さＨは、少なくとも横幅Ｗ及び奥行きＬより低く形成することができ、実際の実施例では、図１のように変圧器の高さＨを横幅Ｗの１／２（半分）より低く形成することができる。これにより、横置き型で薄型の耐雷変圧器を製作することができる。
【００２８】
上記耐雷変圧器には、図１、図７に示すように、その積層鉄心１の平面を下面として下部両側に、取付脚部１５が固定される。そして、積層鉄心１の前面部には、図示を省略してあるが、複数の接続端子を有する一次側端子部と二次側端子部が固定され、アース端子が積層鉄心１上に固定される。さらに、上記第一導電性シールド６、第二導電性シールド７、及び第三導電性シールド８には各々アース線がロウ付けなどで接続され、それらのアース線はアース端子に接続される。
【００２９】
また、一次コイル４が一次側端子部の端子に接続され、二次コイル５が二次側端子部に接続される。アース端子は、取付脚部１５または金属ケース３０の一部に固定される。
【００３０】
そして、上記耐雷変圧器が、実際の設備の電源部に使用される場合、図１、図２、図７などで仮想線として示されるように、高さの低い横置き型で薄型の金属ケース３０内に収納し、取付脚部１５をケースに固定し、電源用変圧器として使用される。電気設備によっては、各機器がラック内に多段状に収納されるが、この耐雷変圧器も高さの低い横長の金属ケース３０に入れた状態で、ラック内に多段状に収納して使用することができ、設置のためのスペースを大幅に節約することができる。
【００３１】
また、上記耐雷変圧器は、二次コイル５がその内周部を第一導電性シールド６により包囲され、その外周部が第二導電性シールド７、第三導電性シールド８により包囲され、各シールド６，７，８はアース接続されるから、二次コイル５とアース間つまり二次コイル５とシールド６，７，８間の静電容量は、十分に大きくなる。このため、雷サージ電圧の一次コイル４と二次コイル５間の移行レベルは、例えば−６０ｄＢ以下に下げることができ、二次側に移行する雷サージ電圧を良好に減衰させることができる。
【００３２】
なお、上記実施形態では、二次コイル５の外側に第二導電性シールド７及び第三導電性シールド８からなる２枚の導電性シールドを挿入したが、１枚または３枚以上の導電性シールドを挿入することもできる。
【００３３】
以上説明したように、本発明の耐雷変圧器によれば、コイル部と導電性シールド間の距離を通常より短くすることができ、これにより、一次コイルの巻き厚を薄くすることができる。このため、変圧器のコイル部の厚さを低減してコイル部を横に寝かせて載置した場合の高さを極めて低くすることができ、少なくとも高さが横幅及び奥行きより低い、横長で、横置き薄型の耐雷変圧器を製作することができる。したがって、このような耐雷変圧器は、例えば、高さの低い横長薄型のケースに収納することができ、電気設備などの多段収納型のラックに、他の機器と同様に収納し、変圧器を含む設備全体をコンパクト化することができる。
【図面の簡単な説明】
【００３４】
【図１】本発明の一実施形態を示す耐雷変圧器の正面図である。
【図２】同耐雷変圧器の平面図である。
【図３】図１のIII-III断面図である。
【図４】図２のIV-IV断面図である。
【図５】（ａ）は導電性シールド６，７，８の展開平面図、（ｂ）は同シールドの左側面図である。
【図６】図３の一部を拡大した拡大部分断面図である。
【図７】耐雷変圧器の斜視図である。
【符号の説明】
【００３５】
１−鉄心
２−コイル部
４−一次コイル
５−二次コイル
６−第一導電性シールド
７−第二導電性シールド
８−第三導電性シールド
１０−絶縁物
２１−第一絶縁物
２２−第二絶縁物
２３−第三絶縁物                                                                        
【図１】
2005136199.tif 000003
【図２】
2005136199.tif 000004
【図３】
2005136199.tif 000005
【図４】
2005136199.tif 000006
【図５】
2005136199.tif 000007
【図６】
2005136199.tif 000008
【図７】
2005136199.tif 000009